(57)【要約】【課題】  シートスルーＡＤＦの開閉検知を特別な検知手段を使わずに精度よく行なう画像読み取り装置を提供する。【解決手段】  シートスルー読み取り方式とブック読み取りの両方の方式を備えた画像読み取り装置において、シートスルー読み取りの背景板１８の読み取りに応じて、ＡＤＦ６が開いた状態であることを制御手段４０に伝える。【選択図】  図３
2006025284.tif 000002
【特許請求の範囲】
【請求項１】
上面にコンタクトガラスを備え、コンタクトガラス直下に読み取り部を有した装置本体と、装置本体上面により開閉自在に軸支された自動原稿供給装置と、制御手段と、を備え、シートスルー読み取り方式とブック読み取り方式の両方式を実施可能な画像読み取り装置において、
自動原稿供給装置の僅かな開放状態を検知する開閉検知手段を備え、
制御手段は、開閉検知手段からの開放検知情報に基づいて自動原稿供給装置が開放状態にあることを判定することを特徴とする画像読み取り装置。
【請求項２】
読み取り時にコンタクトガラスと背景板との間に位置する原稿を読み取り部によって読取るようにした画像読み取り装置において、
前記開閉検知手段は、背景板を照らす照明手段、照明手段によって照明された背景板の明るさを読み取る明るさ読み取り手段、背景板を読み取ったデータが或るレベル以下になったことを判断する検知手段を備え、
前記制御手段は、前記データが或るレベル以下の場合に、自動原稿供給装置が開いた状態であること判定することを特徴とする請求項１記載の画像読み取り装置。
【請求項３】
読み取り時にコンタクトガラスと背景板との間に位置する原稿を読み取り部によって読取るようにした画像読み取り装置において、
前記開閉検知手段は、装置本体フレームに設けられたマーキング、背景板に設けられたマーキング、各マーキングを読み取る読み取り手段、読み取ったデータからマーキング間の距離を判断するマーキング間距離判断手段を備え、
前記制御手段は、マーキング間の距離が予め設定された値を外れた場合に、自動原稿供給装置が開いた状態であることを判定することを特徴とする請求項１記載の画像読み取り装置。
【請求項４】
読み取り時にコンタクトガラスと背景板との間に位置する原稿を読み取り部によって読取るようにした画像読み取り装置において、
前記開閉検知手段は、背景板に設けられたキャタピラ状のパターン、キャタピラ状のパターンを読み取るパターン読み取り手段、読み取ったデータからコントラスト比を求めるコントラスト比追求手段を備え、
前記制御手段は、コントラスト比が或る値以下の場合に、自動原稿給紙装置が開いた状態であることを判定することを特徴とする請求項１記載の画像読み取り装置。
【請求項５】
請求項１ないし４のいずれか１項記載の画像読み取り装置を備えることを特徴とする画像形成装置。
【発明の詳細な説明】
【技術分野】
【０００１】
本発明は、シートスルー読み取り方式とブック読み取り方式の両方を備えた、デジタル読み取り方式の複写機、ファクシミリを含む画像形成装置における画像読み取り装置に関するものである。
【背景技術】
【０００２】
デジタル読み取り方式の画像読み取り装置において、シートスルーＡＤＦ（自動原稿供給装置）の開閉を検知する発光手段と受光手段を有すること、およびＡＤＦ開閉検知手段がＡＤＦへの反射光を検知して、閉鎖位置と開放位置の途中位置を検知することは知られている（例えば、特許文献１、２参照）。
これらの例では、ＡＤＦを兼ねた原稿圧板の開閉状態を検知するために、画像読み取り手段とは別の検出手段を備えている。
【特許文献１】特開２００１−１９７２６３公報
【特許文献２】特開２００２−１６５０７４公報
【発明の開示】
【発明が解決しようとする課題】
【０００３】
ＡＤＦを兼ねた原稿圧板のヒンジ付近にセンサを設けて開閉状態を検知することはよく行われているが、僅かに開いた状態を検知するのは困難である。厚みのあるブック原稿を置いたままで、シートスルー読み取りを行おうとして、ＡＤＦが僅かに開いていて原稿ジャムになる場合がある。
また、ガラスの汚れを検知して、警告を出すか、読み取り位置の移動を行う場合があるが、その場合、ＡＤＦが閉じた状態でないと、背景板の白を読むことができないため、汚れを正しく検出できない。ＡＤＦがきちんと閉じた状態かどうかを検知する方法が必要である。
そこで、本発明の目的は、シートスルーＡＤＦの開閉検知を特別な検知手段を使わずに精度よく行なう画像読み取り装置を提供することにある。
【課題を解決するための手段】
【０００４】
上記の課題を解決するために、請求項１に記載の発明は、上面にコンタクトガラスを備え、コンタクトガラス直下に読み取り部を有した装置本体と、装置本体上面により開閉自在に軸支された自動原稿供給装置と、制御手段と、を備え、シートスルー読み取り方式とブック読み取り方式の両方式を実施可能な画像読み取り装置において、自動原稿供給装置の僅かな開放状態を検知する開閉検知手段を備え、制御手段は、開閉検知手段からの開放検知情報に基づいて自動原稿供給装置が開放状態にあることを判定することを特徴とする。
請求項２の発明は、請求項１において、読み取り時にコンタクトガラスと背景板との間に位置する原稿を読み取り部によって読取るようにした画像読み取り装置において、前記開閉検知手段は、背景板を照らす照明手段、照明手段によって照明された背景板の明るさを読み取る明るさ読み取り手段、背景板を読み取ったデータが或るレベル以下になったことを判断する検知手段を備え、前記制御手段は、前記データが或るレベル以下の場合に、自動原稿供給装置が開いた状態であること判定することを特徴とする。
請求項３の発明は、請求項１において、読み取り時にコンタクトガラスと背景板との間に位置する原稿を読み取り部によって読取るようにした画像読み取り装置において、前記開閉検知手段は、装置本体フレームに設けられたマーキング、背景板に設けられたマーキング、各マーキングを読み取る読み取り手段、読み取ったデータからマーキング間の距離を判断するマーキング間距離判断手段を備え、前記制御手段は、マーキング間の距離が予め設定された値を外れた場合に、自動原稿供給装置が開いた状態であることを判定することを特徴とする。
請求項４の発明は、請求項１において、読み取り時にコンタクトガラスと背景板との間に位置する原稿を読み取り部によって読取るようにした画像読み取り装置において、前記開閉検知手段は、背景板に設けられたキャタピラ状のパターン、キャタピラ状のパターンを読み取るパターン読み取り手段、読み取ったデータからコントラスト比を求めるコントラスト比追求手段を備え、前記制御手段は、コントラスト比が或る値以下の場合に、自動原稿給紙装置が開いた状態であることを判定することを特徴とする。
請求項５に記載の発明は、請求項１ないし４のいずれか１項記載の画像読み取り装置を備える画像形成装置を特徴とする。
【発明の効果】
【０００５】
画像読み取り手段によって得た画像データによって、ＡＤＦの開閉状態を検知できるため、専用の検出手段が必要ない。ＡＤＦの開閉状態によって、装置の動作を停止させ、トラブルを未然に防止することもできる。
また、マーキング間の距離によって、ＡＤＦの開閉状態を検知できるため、精度のよい開閉検知が可能となる。さらに、キャタピラパターンのＭＴＦによって、ＡＤＦの開閉状態を検知できるため、精度のよい開閉検知が可能となる。また、等倍センサのような、画角を持たないシステムでも検知可能である。
【発明を実施するための最良の形態】
【０００６】
以下、図面を参照して、本発明の実施の形態を詳細に説明する。図１は本発明による画像読み取り装置の実施の形態を示す概略断面図である。図２は図１のＡＤＦ（自動原稿供給装置）の第１の実施の形態を簡略化して示す概略図である。
本実施の形態では、ＡＤＦ（自動原稿供給装置）６により原稿を１枚ずつ搬送し、読み取り装置（本体）１のコンタクトガラス２上を通過する間に画像を読み取る。画像の読み取りは読み取り部１ａで行う。ＡＤＦ６は、装置本体１の上面奥側に設けたヒンジ部により上下方向へ開閉自在に軸支されている。
ＡＤＦ６は、原稿Ｐを積層状態でセットする原稿セット台８、給紙ローラ９、搬送ベルト１０、搬送頃１、搬送経路１７、給紙コロ対１４ａ、１４ｂ、背景板１８（シートスルー用１８ａ、ブック用１８ｂ）、排紙ガイド２０、排紙コロ１９ａ、１９ｂ、２１ａ、２１ｂ、排紙トレイ２２等を備えている。コンタクトガラス２はシートスルー読み取り方式用であり、コンタクトガラス３は原稿を静止させ且つ読み取り光学系を移動させた状態での読み取り方式（ブック読み取りを含む）用である。
読み取り位置に給送された原稿Ｐ上の画像は照明手段４によって照明され、読み取り部１ａのミラー３３、３４、３５、レンズ３６を通って、ＣＣＤ３７に結像する。このＣＣＤ３７によって取り込まれた画像データは画像処理を施された後、プリンタ部へ送られ出力される。
シートスルー用の背景板１８ａはコンタクトガラス２の直上位置に所定のギャップを隔てて対向配置されており、原稿の搬送経路を確保する機能を有している。本発明では、背景板１８ａは反射率の高い色（例えば、白）になっている。図２に示すように、背景板１８ａは図１の背景板１８とは異なる構造になっている。ＡＤＦ６を少し開いた状態では、背景板１８ａと読み取り部１が離れる。
とくに、ＡＤＦの開閉支点から遠い側において、距離が大きくなる（Ｌ２＞Ｌ１）。この状態で、照明手段４を点灯させて画像を読み取ると、画像データは、ＡＤＦの支点側で明るく、支点６ａから離れるにつれて暗くなる。
上記実施形態、及び以下の実施形態の開閉検知のための構成は、ブック用の背景板１８ｂとブック用のコンタクトガラス３との関係についても適用することが出来る。
図３は図２における第１の実施の形態の制御系を略示するブロック図である。シートスルー読み取り方式とブック読み取りの両方の方式を備えた画像読み取り装置は、上述のごとく読み取り部１側からシートスルー読み取りの背景板１８ａを照らす照明手段４を備えている。
シートスルー読み取りの背景板１８ａの明るさを読み取る明るさ読み取り手段（開閉検知手段）３８、背景板１８ａを読み取ったデータが或るレベル以下になったことを判断する検知手段３９を備え、データがあるレベル以下の場合に、ＡＤＦ６が開いた状態であることを制御手段４０に伝える。
なお、この実施形態もブック読み取り用の背景板１８ｂについても適用できる。
【０００７】
図４はＡＤＦが閉じた状態と開いた状態における画像読み取りデータをグラフで示す図である。図に示すように、ＡＤＦが開いた状態では、支点から離れた側で、画像データレベルが下がる。このデータからＡＤＦが開いていることを判断する。
ＡＤＦ開閉検知は、支点６ａから離れた側のデータで判断してもよいし、支点に近い側で判断してもよい。また、両方のデータを組み合わせることによって、開閉角度をより正確に判断することもできる。
ＡＤＦが開いた状態であることを検知した場合には、例えば、原稿給紙動作を停止して、原稿搬送ジャムを防止することが可能となる。また、読み取りライン上のゴミを検知して、警告を出すか、読み取り位置を移動するような制御をする場合に、ＡＤＦが正しく閉じられていないならば、動作を停止させて、誤検知を防止することができる。
図５は図１のＡＤＦ（自動原稿供給装置）の第２の実施の形態を簡略化して示す概略図である。本実施の形態では、読み取り装置１の本体フレーム側に、マーキングＡを備え、かつ、背景板１８にマーキングＢを備えている。
マーキングＡは、例えばコンタクトガラス２にあってもよいし、その外側のフレームにあってもよい。縮小光学系の場合、レンズの画角があるため、原稿面から離れると読み取った画像データ上では、マーキングの位置がずれて来る。
ＡＤＦ６が閉じた状態では、マーキングＡとマーキングＢの距離はＬＡであるが、ＡＤＦが開いた状態ではＬＢになる。ＡＤＦ６が閉じた状態でのマーキング間距離ＬＡは設計上の寸法で決めてもよいし、装置を組み付けた後に、データを取り込んで決定してもよい。
この実施形態は、シートスルー、及びブック読み取りの両者に適用することができる。
図６は図５における第２の実施の形態の制御系を略示するブロック図である。本実施の形態によれば、シートスルー読み取り方式とブック読み取りの両方の方式を備えた画像読み取り装置は、本体フレームに設けられたマーキングＡ、シートスルー読み取りの背景板１８に設けられたマーキングＢ、それらのマーキングを光学的に読み取るマーキング読み取り手段４１を備えている。マーキングＡ、Ｂと、マーキング読み取り手段４１は、開閉検知手段を構成している。
さらに、前記画像読み取り装置は、読み取ったデータからマーキング間の距離を判断するマーキング間距離判断手段４２を備え、マーキング間の距離が予め設定された値をはずれた場合に、ＡＤＦ６が開いた状態であることを制御手段４０に伝える。
【０００８】
図７は図１のＡＤＦ（自動原稿供給装置）の第３の実施の形態を簡略化して示す概略図である。本実施の形態では、背景板１８にキャタピラ状の縞パターンを備えている。
この実施形態は、シートスルー、及びブック読み取りの両者に適用することができる。
ＡＤＦ６が閉じた状態では、背景板１８にピントが合っているため、パターンの白部と黒部がはっきりと認識できるが、ＡＤＦ６が開いて、背景板１８が離れていくと、徐々にピントがぼけていきやがて、灰色としか認識できなくなる。
このようなパターンを読み取った場合、パターンの白部と黒部のレベル差から、ＭＴＦを求めることができるが、その値から背景板１８までの距離が推測でき、ＡＤＦ６の開閉量が判る。図７では、ＡＤＦ６の開閉支点６ａから離れた側にパターンを設けているが、支点に近い側に設けてもよい。支点から離れた側の方が、より少しの開閉量でも確実に検知できる。
図８は図７における第３の実施の形態の制御系を略示するブロック図である。シートスルー読み取り方式とブック読み取りの両方の方式を備えた画像読み取り装置は、シートスルー読み取りの背景板１８に設けられたキャタピラ状のパターンＣ、そのキャタピラ状のパターンＣを読み取るパターン読み取り手段４３を備えている。パターンＣとパターン読み取り手段４３は、開閉検知手段を構成している。
さらに、読み取ったデータからコントラスト比を求めるコントラスト比追求手段４４を備え、コントラスト比がある値以下の場合に、ＡＤＦ６が開いた状態であることを制御手段４０に伝える。
【図面の簡単な説明】
【０００９】
【図１】本発明による画像読み取り装置の実施の形態を示す概略断面図である。
【図２】図１のＡＤＦ（自動原稿供給装置）の第１の実施の形態を簡略化して示す概略図である。
【図３】図２における第１の実施の形態の制御系を略示するブロック図である。
【図４】ＡＤＦが閉じた状態と開いた状態における画像読み取りデータをグラフで示す図である。
【図５】図１のＡＤＦ（自動原稿供給装置）の第２の実施の形態を簡略化して示す概略図である。
【図６】図５における第２の実施の形態の制御系を略示するブロック図である。
【図７】図１のＡＤＦ（自動原稿供給装置）の第３の実施の形態を簡略化して示す概略図である。
【図８】図７における第３の実施の形態の制御系を略示するブロック図である。
【符号の説明】
【００１０】
１  画像読み取り部、４  照明手段、６  ＡＤＦ（自動原稿供給装置）、１８  背景板、３８  明るさ読み取り手段、３９  検知手段、４０  制御手段、４１  マーキング読み取り手段、４２  マーキング間距離判断手段、４３  パターン読み取り手段、４４  コントラスト比追求手段、Ａ  マーキング（本体フレームに設けられた）、Ｂ  マーキング（背景板に設けられた）、Ｃ  キャタピラ状のパターン（背景板に設けられた）
【図１】
2006025284.tif 000003
【図２】
2006025284.tif 000004
【図３】
2006025284.tif 000005
【図４】
2006025284.tif 000006
【図５】
2006025284.tif 000007
【図６】
2006025284.tif 000008
【図７】
2006025284.tif 000009
【図８】
2006025284.tif 000010